(57)【要約】【課題】回り込みキャンセラの異常時にバイパス路を形成して中継を行う場合においても、中継送信機の発振による故障を避けることができるようにする。【解決手段】回り込みキャンセラ１００の入出端間にバイパス路を形成するバイパス路手段と、回り込みキャンセラ１００の異常状態の発生を検知して異常検知通知を出力するキャンセラ異常検知部２０１と、異常検知通知に基づいて、受信変換部２で変換された受信信号を回り込みキャンセラ１００を経ずして前記送信変換部１１へ伝送するバイパス路を形成するようにバイパス路手段を切替え制御するバイパス制御部２０２と、バイパス路により伝送される受信信号が所定値を超えた場合に過大検知通知を出力する過大信号検知部２０６と、過大検知通知に基づいて中継出力を停止させるよう制御する中継停止制御部２０７を備えたものである。【選択図】図１
2008252281.tif 000002
【特許請求の範囲】
【請求項１】
受信アンテナで受信した無線信号を受信変換部により所望のチャンネルの中間周波数帯の受信信号に変換し、変換された受信信号に含まれる送信アンテナから受信アンテナへの回り込み信号を回り込みキャンセラにより除去処理し、回り込み信号が除去された受信信号を送信変換部により前記無線信号と同じ無線周波数帯に変換し、変換された無線周波数帯の信号を電力増幅部により増幅して送信アンテナから送信する中継送信機において、
制御を受けて前記回り込みキャンセラの入出端間にバイパス路を形成するバイパス路手段と、
前記回り込みキャンセラの異常状態を検知して異常検知通知を出力するキャンセラ異常検知部と、
前記キャンセラ異常検知部からの異常検知通知に基づいて、前記受信変換部で変換された受信信号を前記回り込みキャンセラを経ずして前記送信変換部へ伝送するバイパス路を形成するように前記バイパス路手段を切替え制御するバイパス制御部と、
前記バイパス路により伝送される受信信号が所定値を超えた場合に過大検知通知を出力する過大信号検知部と、
前記過大検知通知に基づいて中継出力を停止させるよう制御する中継停止制御部とを備えたことを特徴とする中継送信機。
【請求項２】
過大信号検知部は、バイパス路の後に設けられ、
中継停止制御部は、キャンセラ異常検知部からの異常検知通知と過大信号検知部からの過大検知通知の両者を受信している場合にのみ中継出力を停止制御するようにしたことを特徴とする請求項１記載の中継送信機。
【請求項３】
過大信号検知部は、バイパス路上に設けられたことを特徴とする請求項１記載の中継送信機。
【請求項４】
過大信号検知部の代わりに、中継送信機の周辺部の積雪量を測定する積雪計と、前記積雪計の積雪量が閾値を超えた場合に伝送路悪化通知を出力する伝送路悪化検知部とを備え、
中継停止制御部は、前記異常検知通知と前記伝送路悪化通知の両者を受信している場合にのみ中継出力を停止制御するようにしたことを特徴とする請求項２記載の中継送信機。
【請求項５】
中継停止制御部は、電力増幅部を停止制御することを特徴とする請求項１から請求項４のうちのいずれか１項記載の中継送信機。
【請求項６】
中継停止制御部は、送信変換部を停止制御することを特徴とする請求項１から請求項４のうちのいずれか１項記載の中継送信機。
【発明の詳細な説明】
【技術分野】
【０００１】
この発明は、無線信号の中継において、送受単一周波数で中継する場合に問題となる回り込み信号をキャンセルする機能を備えた中継送信機に関するものである。
【背景技術】
【０００２】
わが国の地上デジタル放送は、伝送方法式としてＯＦＤＭ（Ｏｒｔｈｏｇｏｎａｌ Ｆｒｅｑｕｅｎｃｙ Ｄｉｖｉｓｉｏｎ Ｍｕｌｔｉｐｌｅｘｉｎｇ；直交周波数分割多重）を採用している。ＯＦＤＭを用いることはマルチパス干渉に対する耐性が高くなるという利点を持つため、ＳＦＮ（Ｓｉｎｇｌｅ Ｆｒｅｑｕｅｎｃｙ Ｎｅｔｗｏｒｋ；単一周波数ネットワーク）による放送網の構築が可能となる。ＳＦＮを構築することで、地上デジタル放送用の空きチャンネルが少ないわが国では、周波数資源の有効利用が図れる。また、放送波中継においては、周波数資源の有効利用に加えて、コスト、既存施設の転用化などの点でも大きなメリットがある。しかし、ＳＦＮを適用することで問題となることもある。
中継送信機においては、送受同一周波数となるため、送信アンテナから送信した信号が受信アンテナの受信信号に混入する、いわゆる回り込み現象が起こるという問題がある。この現象は、送信信号の品質を劣化させるだけではなく、中継送信機の発振の原因となる。回りこみ信号は、図５に示すように、送信アンテナから受信アンテナへ直接伝わるものだけでなく、周辺の樹木、建物、遠方の山などからの反射信号も含まれ、雨や雪などの気象条件によっても大きく変化する。送信アンテナから受信アンテナへの回り込みは、アンテナ設置向きを調整すれば或る程度軽減可能であるが、ビルなどの建造物は中継局の設置後に出現することが多く、対策は容易でない。
【０００３】
上記中継送信機における回り込み信号の問題を解決するために中継送信機自身で回り込み信号をキャンセルする方法が開発されてきた。この方法の原理は、デジタルフィルタとしてＦＩＲフィルタ（Ｆｉｎｉｔｅ Ｉｍｐｕｌｓｅ Ｒｅｓｐｏｎｓｅ Ｆｉｌｔｅｒ）を使用して擬似回り込み信号を生成し、これを受信信号から減算することにより回り込み信号をキャンセルするものである。また、減算後の信号については、ＦＦＴ（Ｆａｓｔ Ｆｏｕｒｉｅｒ Ｔｒａｎｓｆｏｒｍ：高速フーリエ変換）処理したＯＦＤＭの周波数領域で回り込みの伝送路特性を解析し、その解析結果に応じてＦＩＲフィルタのタップ係数を逐次更新し、キャンセル残差が最小となるようにしている。
【０００４】
しかし、回り込みキャンセラを用いた場合にも、伝送路環境に大きな変動があったりすると中継送信機がループ発振する場合がある。このループ発振を避けるためには、ＦＩＲフィルタのタップ係数の更新制御と中継信号の出力制御を行う方法がある（例えば特許文献１参照）。この技術では、回り込みキャンセラの使用中において、中継送信機がループ発振していることが確認された場合にＦＩＲフィルタのタップ係数をゼロにリセットすると同時に、中継信号を出力しないように制御する。また、ループ発振の前兆が確認された場合には中継出力のレベルを減少させてループ発振を起こさせないように制御する。さらに、上記制御により中継出力が停止または減少しているが、当面発振する恐れがないと確認された場合にはループ発振を起こさせないようにしながら中継出力を定格のレベルまで上昇させるようにしている。
【０００５】
【特許文献１】特開２００１−１６０７９４号公報
【発明の開示】
【発明が解決しようとする課題】
【０００６】
従来の中継送信機は、以上のような回り込みキャンセラを設けることにより送信信号の品質劣化や中継送信機の発振を防止している。しかし、回り込みキャンセラ自身の電源故障がおきる場合があると中継送信機の送信出力が遮断され中継機能が停止するという問題がある。この問題に対しては、回り込みキャンセラ自身の電源故障時などには回り込みキャンセラをバイパスさせて受信入力を出力側に導くようにする方法が考えられる（詳しくはこの発明の実施の形態で述べる）。この方法は、回り込み信号をキャンセルしないまま増幅して送信アンテナより出力してしまうことになるため、回り込み信号が微弱な状況下では有効に中継を行えるので問題ないが、回り込み信号が無視できないような場合には、中継送信機が発振し故障に至るという問題を引き起こすことになる。
【０００７】
この発明は、上記のような問題点を解消するためになされたもので、回り込みキャンセラの異常時にバイパス路を形成して中継を行う場合においても、発振による故障を避けることができる中継送信機を得ることを目的とする。
【課題を解決するための手段】
【０００８】
この発明に係る中継送信機は、受信アンテナで受信した無線信号を受信変換部により所望のチャンネルの中間周波数帯の受信信号に変換し、変換された受信信号に含まれる送信アンテナから受信アンテナへの回り込み信号を回り込みキャンセラにより除去処理し、回り込み信号が除去された受信信号を送信変換部により前記無線信号と同じ無線周波数帯に変換し、変換された無線周波数帯の信号を電力増幅部により増幅して送信アンテナから送信する中継送信機において、制御を受けて回り込みキャンセラの入出端間にバイパス路を形成するバイパス路手段と、回り込みキャンセラの異常状態を検知して異常検知通知を出力するキャンセラ異常検知部と、キャンセラ異常検知部からの異常検知通知に基づいて、受信変換部で変換された受信信号を回り込みキャンセラを経ずして前記送信変換部へ伝送するバイパス路を形成するようにバイパス路手段を切替え制御するバイパス制御部と、バイパス路により伝送される受信信号が所定値を超えた場合に過大検知通知を出力する過大信号検知部と、過大検知通知に基づいて中継出力を停止させるよう制御する中継停止制御部とを備えたものである。
【発明の効果】
【０００９】
この発明によれば、回り込みキャンセラが故障した場合に回り込みキャンセラをバイパス状態に切替えて中継を維持できるようにすると共に、その後回り込み信号が顕著になった場合には中継出力を停止するようにしたので、中継送信機の発振を抑え、故障に至るのを避けることができる。
【発明を実施するための最良の形態】
【００１０】
実施の形態１．
図１は、この発明の実施の形態１による中継送信機の機能構成を示すブロック図である。中継送信機は、受信アンテナ１、受信変換部２、回り込みキャンセラ１００、送信変換部１１、電力増幅部１２、送信アンテナ１３、キャンセラ異常検知部２０１、バイパス制御部２０２、入力切替部２０３、出力切替部２０４、バイパス用線路２０５、過大信号検知部２０６および中継停止制御部２０７を備えている。
入力切替部２０３、出力切替部２０４およびバイパス用線路２０５は、バイパス制御部２０２の制御を受けて回り込みキャンセラ１００の入出端間にバイパス路を形成するバイパス路手段を構成する。キャンセラ異常検知部２０１は、回り込みキャンセラ１００の異常状態を検知して異常検知通知をバイパス制御部２０２へ出力する手段である。バイパス制御部２０２は、キャンセラ異常検知部２０１からの異常検知通知に基づいて、受信変換部２で変換された受信信号を回り込みキャンセラ１００を経ずして送信変換部１１へ伝送するバイパス路を形成するようにバイパス路手段を切替え制御する手段である。過大信号検知部２０６は、バイパス路により伝送される受信信号が所定値を超えた場合に過大検知通知を中継停止制御部２０７へ出力する手段である。中継停止制御部２０７は、過大検知通知に基づいて中継出力を停止させるよう制御する手段である。その他の構成部は従来のものと同じ機能を有するものなので、以下の動作において説明することとする。
【００１１】
まず、通常運用時の中継送信機の動作を説明する。
受信アンテナ１で受信された無線信号は、受信変換部２において所望のチャンネル信号のみが抽出され、中間周波数帯（ＩＦ帯）に周波数変換される。ＩＦ帯に周波数変換された信号は回り込みキャンセラ１００に入力され、回り込み信号を除去処理した後、送信変換部１１へ入力される。送信変換部１１では、回り込みキャンセラ１００からの受信信号を受信無線信号と同じ無線周波数帯に変換して電力増幅部１２へ出力する。電力増幅部１２では、入力された無線周波数帯の信号を所定の電力に増幅して送信アンテナ１３から送信する。
【００１２】
ところで、回り込みキャンセラ１００内では、入力されたＩＦ帯の受信信号は減算部１０３を経て出力制御部１０９側に伝送されるが、その一部は観測信号としてＦＩＲフィルタ１０４とＦＦＴ部１０５に与えられる。ＦＦＴ部１０５では、観測信号をＦＦＴ処理して伝送路特性推定部１０６に与える。伝送路特性推定部１０６では、ＦＦＴ処理された信号に付いてＯＦＤＭの周波数領域での回り込みの伝送路特性を解析して推定する。キャンセル残差算出部１０７では、推定された回り込みの伝送路特性に基づいてキャンセル残差成分を算出する。タップ係数生成部１０８では、算出されたキャンセル残差成分に応じてＦＩＲフィルタ１０４のタップ係数を生成する。ＦＩＲフィルタ１０４では、タップ係数生成部１０８で生成されたタップ係数に基づいて観測信号の中の回り込み成分のみ（疑似回り込み信号）を取り出す。このように生成した疑似回り込み信号を減算部１０３に与えることで、中継信号から回り込み信号成分を除去する。一方、発振検知部１１０は、ループ発振の前兆を検知する手段であるが、伝送路特性推定部１０６で解析した周波数特性の状態を基に判断する。また、特許文献１に記載されているような受信変換部２や送信変換部１２のＡＧＣ制御情報を用いて判断してもよい。発振検知部１１０がループ発振の前兆を確認した場合には、ＦＩＲフィルタ１０４のタップ係数をゼロにリセットすると同時に、出力制御部１０９において中継信号を出力しないように制御すようにしている。
【００１３】
次に、回り込みキャンセラ１００の機能に異常が発生した場合について図２のフローチャートに従って説明する。
キャンセラ異常検知部２０１では、回り込みキャンセラ１００の異常発生状態、例えば回り込みキャンセラ１００自身の電源電圧の状態を監視する（ステップＳＴ１１）。電源電圧の異常低下を検出した場合、キャンセラ異常検知部２０１はバイパス制御部２０２に異常検知通知を与える。バイパス制御部２０２は、キャンセラ異常検知部２０１からの異常検知通知を受けると、入力切替部２０３と出力切替部２０４のそれぞれ端子ａと端子ｂを接続するように切り替える。すると、入力切替部２０３の端子ａと出力切替部２０４の端子ａ間がバイパス用線路２０５により短絡されて回り込みキャンセラ１００に対するバイパス路が形成される（ステップＳＴ１２）。したがって、受信変換部２の出力信号は回り込みキャンセラ１００をバイパスして送信変換部１１に入力されることになる。そのため、回り込みキャンセラ１００が異常となった場合にも、送信アンテナ１３からの中継信号の送信が途絶えることはなくなる。このことは、回り込み信号が軽微な状況下では有効に中継できるので問題ないが、回り込み信号が無視できない存在の場合にはキャンセルされないまま増幅されて送信されることになるため、中継送信機が発振し中継故障につながることになる。この問題を解決するために、さらに以下の制御を行う。
【００１４】
ステップＳＴ１２における回り込みキャンセラ１００をバイパスしている状態において、送信変換部１１へ入力する信号の状態を過大信号検知部２０６で監視する（ステップＳＴ１３）。この入力信号が繰り返し回り込みによって大きくなり所定値を超えた場合、それを過大信号検知部２０６で検知し、過大検知通知を中継停止制御部２０７に与える。中継停止制御部２０７では、過大信号検知部２０６から検出出力が与えられると電力増幅部１２を制御して中継出力を停止させる（ステップＳＴ１４）。したがって、電力増幅部１２が出力停止状態となることで、送信アンテナ１３からの中継出力はなくなり、受信アンテナ１への回り込み信号がなくなり、中継送信機の発振を避けることができる。
【００１５】
やがて、回り込みキャンセラ１００の電源状態が回復した場合には、バイパス制御部２０２により入力切替部２０３と出力切替部２０４の端子接続を元の状態に復帰させ、バイパス路を解除し（ステップＳＴ１５）、回り込みキャンセラ１００は受信変換部２からの入力信号に対する回りこみキャンセル動作を再開し、送信変換部１１へ与えられる信号は正常なレベルに戻る。そのため、過大信号検知部２０６の検出出力も途絶え、中継停止制御部２０７による電力増幅部１２に対する中継出力の停止制御も解除され、電力増幅部１２は送信アンテナ１３への中継出力の供給を再開する（ステップＳＴ１６）。
【００１６】
以上のように、この実施の形態１によれば、回り込みキャンセラ１００に異常が起こり、キャンセラ機能が行えず中継ができない場合に、回り込みキャンセラ１００にバイパス路を形成して受信信号を送信側に伝送して中継できるようにし、その際、バイパスされた受信信号が回り込み信号によって過大となった場合には、過大信号検知部２０６により検知し、中継停止制御部２０７が、この過大検知通知に基づいて送信アンテナへ１３への中継信号の出力を電力増幅器１２で停止制御できるようにしている。したがって、回り込みキャンセラ１００の異常発生時にもバイパスさせた受信信号を変換増幅して中継信号としてとりあえず送信できるようにし、かつその受信信号に回り込み信号が混入している場合には、それに因って引き起こされる中継送信機の発振を抑え、故障を未然に防止することを可能にする。
【００１７】
実施の形態２．
図３は、この発明の実施の形態２よる中継送信機の機能構成を示すブロック図である。図において、図１と同一または相当部分には同一符号を付し、その説明は原則として省略する。
上記実施の形態１では、中継停止制御部２０７には過大信号検知部２０６からの過大検知通知だけが与えられる構成となっているが、この実施の形態２では、キャンセラ異常検知部２０１からの異常検知通知も与えられる構成としている。この場合、中継停止制御部２０７は異常検知通知と過大検知通知の両者を受信している場合にのみ中継出力を停止制御する。したがって、中継停止制御部２０７は、回り込みキャンセラ１００がバイパス状態のときのみ、受信信号の過大状態に対して中継出力の停止制御を行うことになる。すなわち、実施の形態１の場合、過大信号検知部２０６の調整状態によっては回り込みキャンセラ１００が正常のときに中継停止制御部２０７が誤動作する可能性が考えられるが、この実施の形態２では、そのような誤動作を防ぐことが可能となる。
【００１８】
実施の形態３．
上記実施の形態１では、過大信号検知部２０６はバイパス路の後に設けられているが、この実施の形態２の場合、過大信号検知部２０６をバイパス路、すなわち図１のバイパス路用線路２０５上に設ける。このことによって、中継停止制御部２０７は、回り込みキャンセラ１００がバイパス状態のときのみ、受信信号の過大状態に対して中継出力の停止制御を行うことになるので、実施の形態２と同様に回り込みキャンセラ１００が正常のときに起こる誤動作を防ぐことができる。
【００１９】
実施の形態４．
回り込み信号は軽微ではあるが、冬季、降雪量が多い地域に回り込みキャンセラ１００の電源断時にバイパス路を形成する中継送信機を設置するケースについて考えた場合、降雪量が多くなると、送信アンテナ１３からの送信信号が中継送信機周辺において反射されやすく回り込み信号として受信されてしまう。その状態において、回り込みキャンセラ１００の電源が異常により断となりバイパス路が形成され場合、中継送信機が発振を引き起こすことになる。この実施の形態４では、このような環境下において有効な中継送信機について説明する。
【００２０】
図４は、この発明の実施の形態４よる中継送信機の機能構成を示すブロック図である。図において、図３と同一または相当部分には同一符号を付し、その説明は原則として省略する。この実施の形態４は、実施の形態２の過大信号検知部２０６の代わりに、積雪計３０１および伝送路悪化検知部３０２を備えた構成を持つ。また、ここでは中継停止制御部２０７に対して、キャンセラ異常検知部２０１の異常検知通知と伝送路悪化検知部３０２の伝送路悪化通知が与えられるように構成している。
積雪計３０１は、気象観測に用いられる積雪量を測定する手段で、例えば超音波を雪面に向けて発し、戻ってくる時間の長短を利用する超音波式積雪計、あるいはレーザを雪面に発し、反射光の位相のずれを利用するレーザ式積雪計などある。また、積雪計３０１は、積雪量をデジタルに変換したシリアル通信、あるいは電圧によるアナログ出力により積雪量を外部に通知するように構成されている。伝送路悪化検知部３０２は、積雪計３０１より通知される積雪量を予め設定された警報閾値を超えた場合に伝送路悪化通知を中継停止制御部２０７に出力する手段である。なお、ここでいう警報閾値は外部より変更設定可能なものとする。中継停止制御部２０７は、キャンセラ異常検知部２０１の異常検知通知と伝送路悪化検知部３０２の伝送路悪化通知の両者を受信している場合にのみ中継出力を停止させるよう制御する手段である。
【００２１】
次に、この実施の形態２に係る主要制御動作について図５のフローチャートに従って説明する。
キャンセラ異常検知部２０１では、回り込みキャンセラ１００の電源の電圧の状態を監視する（ステップＳＴ２１）。電源の電圧が異常低下を検出した場合、キャンセラ異常検知部２０１はバイパス制御部２０２と中継停止制御部２０７に異常検知通知を与える。バイパス制御部２０２は、キャンセラ異常検知部２０１からの異常検知通知に応じて、入力切替部２０３と出力切替部２０４を切り替え、バイパス路を形成する（ステップＳＴ２２）。このことにより、受信変換部２の出力信号は回り込みキャンセラ１００をバイパスして送信変換部１１に入力され、回り込みキャンセラ１００が電源断となった場合にも、送信アンテナ１３からの中継信号の送信が途絶えることはなくなる。一方、積雪計３０１では積雪量を測定しており、その積雪量データを伝送路悪化検知部３０２に送っている。伝送路悪化検知部３０２では、積雪計３０１より通知される積雪量と警報閾値を比較しており（ステップＳＴ２３）、積雪量が警報閾値を超えた場合、伝送路悪化通知を中継停止制御部２０７に与える（ステップＳＴ２４）。中継停止制御部２０７では、伝送路悪化検知部３０２からの伝送路悪化通知とキャンセラ異常検知部２０１からの異常検知通知の両者を受信している場合にのみ電力増幅部１２を制御して中継出力を停止させる（ステップＳＴ２５）。したがって、電力増幅部１２が出力停止状態となることで、送信アンテナ１３からの出力はなくなり、受信アンテナ１への回り込み信号がなくなるため、中継送信機の発振を防止することが可能となる。
【００２２】
ステップＳＴ２５の中継出力停止の状態においてもキャンセラ異常検知部２０１と伝送路悪化検知部３０２監視をしており、例えば回り込みキャンセラ１００の状態が回復した場合には、バイパス制御部２０２によってバイパス機能が解除され（ステップＳＴ２１、ＳＴ２６）、中継停止制御部２０７によって電力増幅部１２に対する出力停止制御は解除される（ステップＳＴ２７）。したがって、受信信号に回り込み信号が混入したとしても正常に回復した回り込みキャンセラ１００により取り除かれるため、補正された中継信号が送信アンテナ１３から送信されることになる。また、ステップＳＴ２５の中継出力停止の状態において、回り込みキャンセラ１００の状態回復の如何にかかわらず、伝送路悪化検知部３０２において積雪量が警報閾値より減った場合には、中継停止制御部２０７によって電力増幅部１２に対する出力停止制御は解除される（ステップＳＴ２３、ＳＴ２７）。もしもこのとき、バイパス路が形成されたままであった場合は、受信信号はそのまま電力増幅部１２で増幅され、中継信号として送信アンテナ１３から送信されるが、積雪量が低下し、回り込み信号が中継送信機の発振に影響しないまでに十分軽減されているので問題はない。また、バイパス路が解除されていた場合（ステップＳＴ２６）は、回り込みキャンセラ１００も回復しており、中継信号は回り込み信号も含まれることなく送信されることになる。
【００２３】
以上のように、この実施の形態２によれば、回り込みキャンセラ１００の異常をキャンセラ異常検知部２０１で検知した時に回り込みキャンセラ１００に対してバイパス路を形成すると共に、キャンセラ異常検知部２０１から異常検知通知を中継停止制御部２０７に与えるようにし、また、中継送信機の周辺部の積雪量を測定する積雪計３０１を設置し、伝送路悪化検知部３０２により、積雪計３０１で測定した積雪量が閾値を超えた場合に伝送路悪化通知を中継停止制御部２０７に与えるようにし、中継停止制御部２０７は、異常検知通知と伝送路悪化通知の両者を受信している場合にのみ中継出力を停止制御するようにしている。したがって、回り込みキャンセラ１００が故障などで電源断となった場合も、中継送信機の中継出力は停止せず維持できるようにし、天候悪化して回り込み信号の影響が危惧されるようになった段階で初めて中継出力を停止し、その後、天候が回復して回り込み信号の影響が軽微となった場合、回り込みキャンセラ１００が回復した場合には中継出力の停止を解除するようにしたため、中継出力を必要以上に停止させることを無くすことができ、中継送信機の有効な運用を可能にする。
【００２４】
上記各実施の形態では、中継出力の停止制御を電力増幅部１２に対して行ってきたが、代わりに送信変換部１１に対して行ってもよいし、送信変換１１の前もしくは後に設けたスイッチ手段に対して停止制御を行うようにしてもよく、それぞれの実施の形態と同様な効果を奏することができる。
【図面の簡単な説明】
【００２５】
【図１】この発明の実施の形態１による中継送信機の機能構成を示すブロック図である。
【図２】この発明の実施の形態１に係る制御動作を示すフローチャートである。
【図３】この発明の実施の形態２による中継送信機の機能構成を示すブロック図である。
【図４】この発明の実施の形態４による中継送信機の機能構成を示すブロック図である。
【図５】この発明の実施の形態４に係る制御動作を示すフローチャートである。
【図６】中継送信機における送信信号の回り込み現象を表す説明図である。
【符号の説明】
【００２６】
１  受信アンテナ、２  受信変換部、１１  送信変換部、１２  電力増幅部、１３  送信アンテナ、１００  回り込みキャンセラ、１０３  減算部、１０４  ＦＩＲフィルタ、１０５  ＦＦＴ部、１０６  伝送路特性推定部、１０７  キャンセル残差算出部、１０８  タップ係数生成部、１０９  出力制御部、１１０  発振検知部、２０１  キャンセラ異常検知部、２０２  バイパス制御部、２０３  入力切替部、２０４  出力切替部、２０５  バイパス用線路、２０６  過大信号検知部、２０７  中継停止制御部、３０１  積雪計、３０２  伝送路悪化検知部。
【図１】
2008252281.tif 000003
【図２】
2008252281.tif 000004
【図３】
2008252281.tif 000005
【図４】
2008252281.tif 000006
【図５】
2008252281.tif 000007
【図６】
2008252281.tif 000008